(57)【要約】【課題】  電気集塵装置の効率を改良しそしてバックコロナ放電を減少させる。【解決手段】  電気集塵装置の効率を改良するのに有効な量のマンガンのソースを燃料、燃焼空気、燃焼排ガスに加える。電気集塵装置のバックコロナ放電を減少させるのに有効な量のマンガンのソースを燃料、燃焼空気、燃焼排ガスに加える。【選択図】  なし【特許請求の範囲】
【請求項１】
燃焼ユニットにおける燃料の燃焼から生じる燃焼排ガスからフライアッシュを捕集するのに使用される電気集塵装置の効率を改良する方法であって、電気集塵装置の効率を改良するのに有効な量のマンガンのソースを燃料に加えることを含んでなる方法。
【請求項２】
燃焼ユニットにおける燃料の燃焼から生じる燃焼排ガスからフライアッシュを捕集するのに使用される電気集塵装置の効率を改良する方法であって、電気集塵装置の効率を改良するのに有効な量のマンガンのソースを燃焼排ガスに加えることを含んでなる方法。
【請求項３】
燃焼ユニットにおける燃料の燃焼から生じる燃焼排ガスからフライアッシュを捕集するのに使用される電気集塵装置におけるバックコロナ放電を減少させる方法であって、電気集塵装置におけるバックコロナ放電を減少させるのに有効な量のマンガンのソースを燃料に加えることを含んでなる方法。
【請求項４】
燃焼ユニットにおける燃料の燃焼から生じる燃焼排ガスからフライアッシュを捕集するのに使用される電気集塵装置におけるバックコロナ放電を減少させる方法であって、電気集塵装置におけるバックコロナ放電を減少させるのに有効な量のマンガンのソースを燃焼排ガスに加えることを含んでなる方法。
【請求項５】
燃焼ユニットにおける燃料の燃焼から生じる燃焼排ガスからフライアッシュを捕集するのに使用される電気集塵装置においてバックコロナ放電を減少させる方法であって、電気集塵装置におけるバックコロナ放電を減少させるのに有効な量の、遷移金属、アクチニド、ランタニド、アルカリ金属及びアルカリ土類金属、メタロイド、ハロゲン、リン及び硫黄の無機化合物及び有機化合物よりなる群から選ばれる添加剤の少なくとも１種を燃焼排ガスに加えることを含んでなる方法。
【請求項６】
燃焼ユニットにおける燃料の燃焼から生じる燃焼排ガスからフライアッシュを捕集するのに使用される電気集塵装置におけるバックコロナ放電を減少させる方法であって、電気集塵装置におけるバックコロナ放電を減少させるのに有効な量の酸素化剤を燃焼排ガスに加えることを含んでなる方法。
【請求項７】
燃焼ユニットが、いずれかの及びすべてのバーナー、定置バーナー、廃棄物焼却炉、ディーゼル燃料バーナー、ガソリン燃料バーナー、パワープラント発生装置、パワープラント炉、いずれかの及びすべての内燃及び外燃装置、ボイラー、炉、蒸発バーナー、プラズマバーナーシステム、プラズマアーク及び炭化水素質燃料を燃焼させることができる装置よりなる群から選ばれる請求項１〜６のいずれか１つに記載の方法。
【請求項８】
燃料が、ディーゼル燃料、バイオディーゼル、バイオディーゼル誘導燃料、合成ディーゼル、ジェット燃料、アルコール、エーテル、ケロセン、低硫黄燃料、合成燃料、フィッシャー−トロプシュ燃料、液化石油ガス、石炭から誘導された燃料、石炭、遺伝子工学的に作り出されたバイオ燃料及び作物及びそれらからの抽出物、天然ガス、プロパン、ブタン、無鉛モーター及び航空ガソリン、ガソリン沸点範囲の炭化水素と燃料に可溶性の酸素化ブレンド剤の両方を含有する再配合ガソリン、ガソリン、バンカー重油、（ダスト又はスラリー）、原油、製油所残油及び副生物、原油抽出物、有害廃棄物、ヤードトリミング及廃棄物、木材チップ及びおが屑、農業廃棄物、飼料、サイレージ、プラスチック、有機廃棄物及びそれらの混合物、並びに水、アルコール及び他の担体流体中のそれらの乳液、懸濁液及び分散液よりなる群から選ばれる請求項１〜６のいずれか１つに記載の方法。
【請求項９】
マンガンのソースが、メチルシクロペンタジエニルマンガントリカルボニル、シクロペンタジエニルマンガントリカルボニル、ビス−シクロペンタジエニルマンガン（マンガノセン）、ビス−アルキルシクロペンタジエニルマンガン、スルホン酸マンガン、マンガンフェネート、サリチル酸マンガン、アルキルシクロペンタジエニルマンガントリカルボニル、有機マンガントリカルボニル誘導体、アルキルシクロペンタジエニルマンガン誘導体、中性及びオーバーベースドサリチル酸マンガン、中性及びオーバーベースドマンガンフェネート、中性及びオーバーベースドスルホン酸マンガン、カルボン酸マンガン及びそれらの組み合わせ及び混合物よりなる群から選ばれる請求項１〜６のいずれか１つに記載の方法。
【請求項１０】
燃焼ユニットで燃焼させて燃焼排ガスを生じるように適合している燃料であって、生じる燃焼排ガスからフライアッシュを捕集するのに使用される電気集塵装置の効率を改良するのに有効な量のマンガンのソースを含んでなる燃料。
【請求項１１】
燃焼ユニットで燃焼させて燃焼排ガスを生じる燃料のための添加剤であって、燃焼排ガスからフライアッシュを捕集するのに使用される電気集塵装置の効率を改良するのに有効な量のマンガンのソースを含んでなる燃料添加剤。
【請求項１２】
燃焼ユニットにおける燃料の燃焼から生じる燃焼排ガス中に注入されるように適合している添加剤であって、燃焼排ガスからフライアッシュを捕集するのに使用される電気集塵装置の効率を改良するのに有効な量のマンガンのソースを含んでなる添加剤。
【請求項１３】
燃焼ユニットで燃焼させて燃焼排ガスを生じるように適合している燃料であって、燃焼排ガスからフライアッシュを捕集するのに使用される電気集塵装置においてバックコロナ放電を減少させるのに有効な量のマンガンのソースを含んでなる燃料。
【請求項１４】
燃焼ユニットで燃焼させて燃焼排ガスを生じるように適合している燃料のための添加剤であって、燃焼排ガスからフライアッシュを捕集するのに使用される電気集塵装置においてバックコロナ放電を減少させるのに有効な量のマンガンのソースを含んでなる燃料添加剤。
【請求項１５】
燃焼ユニットにおける燃料の燃焼から生じる燃焼排ガス中に注入されるように適合している添加剤であって、燃焼排ガスからフライアッシュを捕集するのに使用される電気集塵装置においてバックコロナ放電を減少させるのに有効な量のマンガンのソースを含んでなる添加剤。
【請求項１６】
燃焼ユニットにおける燃料の燃焼から生じる燃焼排ガスに注入されるように適合している添加剤であって、燃焼排ガスからフライアッシュを捕集するのに使用される電気集塵装置におけるバックコロナ放電を減少させるのに有効な量の、遷移金属、アクチニド、ランタニド、アルカリ金属及びアルカリ土類金属、ハロゲン、リン及び硫黄の無機化合物及び有機化合物よりなる群から選ばれる添加剤の少なくとも１種を含んでなる添加剤。
【請求項１７】
燃焼ユニットにおける燃料の燃焼から生じる燃焼排ガスに注入されるように適合している添加剤であって、燃焼排ガスからフライアッシュを捕集するのに使用される電気集塵装置においてバックコロナ放電を減少させるのに有効な量の酸素化物を含んでなる添加剤。
【請求項１８】
燃焼ユニットが、いずれかの及びすべてのバーナー、定置バーナー、廃棄物焼却炉、ディーゼル燃料バーナー、ガソリン燃料バーナー、パワープラント発生装置、パワープラント炉、いずれかの及びすべての内燃及び外燃装置、ボイラー、炉、蒸発バーナー、プラズマバーナーシステム、プラズマアーク及び炭化水素質燃料を燃焼させることができる装置よりなる群から選ばれる請求項１０〜１７のいずれか１つに記載の組成物。
【請求項１９】
燃料が、ディーゼル燃料、バイオディーゼル、バイオディーゼル誘導燃料、合成ディーゼル、ジェット燃料、アルコール、エーテル、ケロセン、低硫黄燃料、合成燃料、フィッシャー−トロプシュ燃料、液化石油ガス、石炭から誘導された燃料、石炭、遺伝子工学的に作り出されたバイオ燃料及び作物及びそれらからの抽出物、天然ガス、プロパン、ブタン、無鉛モーター及び航空ガソリン、ガソリン沸点範囲の炭化水素と燃料に可溶性の酸素化ブレンド剤の両方を含有する再配合ガソリン、ガソリン、バンカー重油、石炭（ダスト又はスラリー）、原油、製油所残油及び副生物、原油抽出物、有害廃棄物、ヤードトリミング及廃棄物、木材チップ及びおが屑、農業廃棄物、飼料、サイレージ、プラスチック、有機廃棄物及びそれらの混合物、並びに水、アルコール及び他の担体流体中のそれらの乳液、懸濁液及び分散液よりなる群から選ばれる請求項１０〜１７のいずれか１つに記載の組成物。
【請求項２０】
マンガンが、メチルシクロペンタジエニルマンガントリカルボニル、シクロペンタジエニルマンガントリカルボニル、ビス−シクロペンタジエニルマンガン（マンガノセン）、ビス−アルキルシクロペンタジエニルマンガン、スルホン酸マンガン、マンガンフェネート、サリチル酸マンガン、アルキルシクロペンタジエニルマンガントリカルボニル、有機マンガントリカルボニル誘導体、アルキルシクロペンタジエニルマンガン誘導体、中性及びオーバーベースドサリチル酸マンガン、中性及びオーバーベースドマンガンフェネート、中性及びオーバーベースドスルホン酸マンガン、カルボン酸マンガン及びそれらの組み合わせ及び混合物よりなる群から選ばれる請求項１０〜１７のいずれか１つに記載の組成物。
【請求項２１】
燃焼ユニットにおける燃料と燃焼空気の燃焼から生じる燃焼排ガスからフライアッシュを捕集するのに使用される電気集塵装置の効率を改良する方法であって、電気集塵装置の効率を改良するのに有効な量のマンガンのソースを燃焼空気に加えることを含んでなる方法。
【請求項２２】
燃焼ユニットにおける燃料と燃焼空気の燃焼から生じる燃焼排ガスからフライアッシュを捕集するのに使用される電気集塵装置においてバックコロナ放電を減少させる方法であって、電気集塵装置におけるバックコロナ放電を減少させるのに有効な量のマンガンのソースを燃焼空気に加えることを含んでなる方法。
【請求項２３】
燃焼ユニットにおける燃料と燃焼空気の燃焼から生じる燃焼排ガスからフライアッシュを捕集するのに使用される電気集塵装置においてバックコロナ放電を減少させる方法であって、電気集塵装置におけるバックコロナ放電を減少させるのに有効な量の、遷移金属、アクチニド、ランタニド、アルカリ金属及びアルカリ土類金属、メタロイド、ハロゲン、リン及び硫黄の無機化合物又は有機化合物よりなる群から選ばれる添加剤の少なくとも１種を燃焼空気に加えることを含んでなる方法。
【請求項２４】
燃焼ユニットが、いずれかの及びすべてのバーナー、定置バーナー、廃棄物焼却炉、ディーゼル燃料バーナー、ガソリン燃料バーナー、パワープラント発生装置、パワープラント炉、いずれかの及びすべての内燃及び外燃装置、ボイラー、炉、蒸発バーナー、プラズマバーナーシステム、プラズマアーク及び炭化水素質燃料を燃焼させることができる装置よりなる群から選ばれる請求項２１〜２３のいずれか１つに記載の方法。
【請求項２５】
燃料が、ディーゼル燃料、バイオディーゼル、バイオディーゼル誘導燃料、合成ディーゼル、ジェット燃料、アルコール、エーテル、ケロセン、低硫黄燃料、合成燃料、フィッシャー−トロプシュ燃料、液化石油ガス、石炭から誘導された燃料、石炭、遺伝子工学的に作り出されたバイオ燃料及び作物及びそれらからの抽出物、天然ガス、プロパン、ブタン、無鉛モーター及び航空ガソリン、ガソリン沸点範囲の炭化水素と燃料に可溶性の酸素化ブレンド剤の両方を含有する再配合ガソリン、ガソリン、バンカー重油、石炭（ダスト又はスラリー）、原油、製油所残油及び副生物、原油抽出物、有害廃棄物、ヤードトリミング及廃棄物、木材チップ及びおが屑、農業廃棄物、飼料、サイレージ、プラスチック、有機廃棄物及びそれらの混合物、並びに水、アルコール及び他の担体流体中のそれらの乳液、懸濁液及び分散液よりなる群から選ばれる請求項２１〜２３のいずれか１つに記載の方法。
【請求項２６】
マンガンのソースが、メチルシクロペンタジエニルマンガントリカルボニル、シクロペンタジエニルマンガントリカルボニル、ビス−シクロペンタジエニルマンガン（マンガノセン）、ビス−アルキルシクロペンタジエニルマンガン、スルホン酸マンガン、マンガンフェネート、サリチル酸マンガン、アルキルシクロペンタジエニルマンガントリカルボニル、有機マンガントリカルボニル誘導体、アルキルシクロペンタジエニルマンガン誘導体、中性及びオーバーベースドサリチル酸マンガン、中性及びオーバーベースドマンガンフェネート、中性及びオーバーベースドスルホン酸マンガン、カルボン酸マンガン及びそれらの組み合わせ及び混合物よりなる群から選ばれる請求項２１〜２３のいずれか１つに記載の方法。
【請求項２７】
燃焼ユニットにおける燃料の燃焼から生じる燃焼排ガスからフライアッシュを捕集するのに使用される電気集塵装置の効率を改良する方法であって、
電気集塵装置においてバックコロナ放電を減少させるのに有効な量のマンガンのソースを燃料に加え、そして
電気集塵装置の電圧を、前記量のマンガンのソースを含有しない燃料を燃焼させるとき利用可能な最も高い効率の電圧よりも高い電圧に増加させる、
ことを含んでなる方法。
【請求項２８】
燃焼ユニットにおいて燃料の燃焼から生じる燃焼排ガスからフライアッシュを捕集するのに使用される電気集塵装置の効率を改良する方法であって、
電気集塵装置においてバックコロナ放電を減少させるのに有効な量のマンガンのソースを燃焼排ガスに加え、そして
電気集塵装置の電圧を、前記量のマンガンのソースを含有しない燃焼排ガスからのフライアッシュを捕集するとき利用可能な最も高い効率の電圧よりも高い電圧に増加させる、ことを含んでなる方法。
【請求項２９】
燃焼ユニットにおいて燃料と燃焼空気の燃焼から生じる燃焼排ガスからフライアッシュを捕集するのに使用される電気集塵装置の効率を改良する方法であって、
電気集塵装置においてバックコロナ放電を減少させるのに有効な量のマンガンのソースを燃焼空気に加え、そして
電気集塵装置の電圧を、前記量のマンガンのソースを含有しない燃焼空気を燃焼させるとき利用可能な最も高い効率の電圧よりも高い電圧に増加させる、
ことを含んでなる方法。
【請求項３０】
燃焼ユニットにおいて燃料の燃焼から生じる燃焼排ガスからフライアッシュを捕集するのに使用される電気集塵装置の効率を改良する方法であって、
電気集塵装置におけるバックコロナ放電を減少させるのに有効な量の、遷移金属、アクチニド、ランタニド、アルカリ金属及びアルカリ土類金属、メタロイド、ハロゲン、リン及び硫黄の無機化合物及び有機化合物よりなる群から選ばれる添加剤の少なくとも１種を燃焼排ガスに加え、そして
遷移金属、アクチニド、ランタニド、アルカリ金属及びアルカリ土類金属、メタロイド、ハロゲン、リン及び硫黄の無機化合物及び有機化合物よりなる群から選ばれる添加剤の少なくとも１種の前記量を含有しない燃焼排ガスからフライアッシュを捕集するとき利用可能な最も高い効率の電圧よりも高い電圧に増加させる、
ことを含んでなる方法。
【請求項３１】
燃焼ユニットにおいて燃料と燃焼空気の燃焼から生じる燃焼排ガスからフライアッシュを捕集するのに使用される電気集塵装置を有するパワープラントにおけるパワー発生効率を増加させる方法であって、
パワープラントのパワー発生効率を改良するのに有効な量のマンガンのソースを燃料に加えることを含んでなる方法。
【請求項３２】
燃焼ユニットにおいて燃料と燃焼空気の燃焼から生じる燃焼排ガスからフライアッシュを捕集するのに使用される電気集塵装置を有するパワープラントにおけるパワー発生効率を増加させる方法であって、
パワープラントのパワー発生効率を改良するのに有効な量のマンガンのソースを燃焼空気に加えることを含んでなる方法。
【請求項３３】
燃焼ユニットにおける燃料と燃焼空気の燃焼から生じる燃焼排ガスからフライアッシュを捕集するのに使用される電気集塵装置を有するパワープラントにおけるパワー発生効率を増加させる方法であって、
パワープラントのパワー発生効率を改良するのに有効な量のマンガンのソースを燃焼排ガスに加えることを含んでなる方法。
【請求項３４】
燃焼ユニットにおける燃料と燃焼空気の燃焼から生じる燃焼排ガスからのフライアッシュを捕集するのに使用される電気集塵装置を有するパワープラントにおけるパワー発生効率を増加させる方法であって、パワープラントのパワー発生効率を改良するのに有効な量の、遷移金属、アクチニド、ランタニド、アルカリ金属及びアルカリ土類金属、メタロイド、ハロゲン、リン及び硫黄の無機化合物及び有機化合物よりなる群から選ばれる添加剤の少なくとも１種を燃料に加えることを含んでなる方法。
【請求項３５】
燃焼ユニットにおける燃料と燃焼空気の燃焼から生じる燃焼排ガスからフライアッシュを捕集するのに使用される電気集塵装置を有するパワープラントにおけるパワー発生効率を増加させる方法であって、パワープラントのパワー発生効率を改良するのに有効な量の、遷移金属、アクチニド、ランタニド、アルカリ金属及びアルカリ土類金属、メタロイド、ハロゲン、リン及び硫黄の無機化合物及び有機化合物よりなる群から選ばれる添加剤の少なくとも１種を燃焼空気に加えることを含んでなる方法。
【請求項３６】
燃焼ユニットにおける燃料と燃焼空気の燃焼から生じる燃焼排ガスからフライアッシュを捕集するのに使用される電気集塵装置を有するパワープラントにおけるパワー発生効率を増加させる方法であって、パワープラントのパワー発生効率を改良するのに有効な量の、遷移金属、アクチニド、ランタニド、アルカリ金属及びアルカリ土類金属、メタロイド、ハロゲン、リン及び硫黄の無機化合物及び有機化合物よりなる群から選ばれる添加剤の少なくとも１種を燃焼排ガスに加えることを含んでなる方法。
【請求項３７】
燃焼ユニットにおける燃料と燃焼空気の燃焼から生じる燃焼排ガスからフライアッシュを捕集するのに使用される電気集塵装置を有するパワープラントにおけるパワー発生効率を増加させる方法であって、パワープラントのパワー発生効率を改良するのに有効な量の酸素化物を燃焼排ガスに加えることを含んでなる方法。
【発明の詳細な説明】
【技術分野】
【０００１】
本発明は用役炉及び工業用炉システム（utility and industrial furnace system）における電気集塵装置の効率及び操作を改良することに関する。特に、燃料、燃焼空気又は燃焼排ガス（煙道ガス）中へのマンガンの添加は、燃焼ガスからフライアッシュを捕集する（collect）際の電気集塵装置の効率を増加させる。更に、燃料、燃焼空気又は燃焼排ガス中へのマンガン又は他のフレーム抑制物質（flame suppression materials）の添加は、電気集塵装置におけるバックコロナ放電（back-corona discharge）を減少させ、かくしてフライアッシュ捕集効率も改良する。
【背景技術】
【０００２】
煙突からの排出に関する環境的問題及び懸念は良く認識されている。相当注目されている燃焼排ガス生成物の１つはフライアッシュである。燃焼ユニットにおける炭化水素質燃料（hydrocarbonaceous fuel）の燃焼の結果であるフライアッシュ放出（fly ash emissions）を減少させることに多くの技術及び努力が捧げられてきた。
【０００３】
電気集塵装置はフライアッシュ放出を減少させるのに使用される１つの重要な種類の技術である。電気集塵装置において使用される基本的プロセスは、フライアッシュを含む燃焼排ガスが通って流れる管又は通路における電界の発生を含む。ガスがこの電界を通って流れるとき、ガス中の粒子（フライアッシュ）は，放射源（emitter source）により放出された電子から負電荷を受け取る。ガス中のこれらの粒子は負電荷を蓄積し、次いでアースされたコレクタープレート（collector plate）上の正電荷に引き付けられる。次いでこれらの粒子はそこに捕集される。次いでフライアッシュは、プレートを物理的に叩き（rapping）そしてホッパーに落下するフライアッシュを捕集し、次いでそれをそこで取り出すことによりプレートから捕集される。
【０００４】
電気集塵装置の効率はいくつかの基本的ファクターにより影響を受け、その１つはシステムが捕集しようとするフライアッシュ粒子の抵抗率（resistivity）である。普通の操作では、フライアッシュの抵抗率は約１×１０８〜１×１０４Ｏｈｍ−ｃｍにあるべきである。この範囲より上の値はバックコロナ放電をもたらし、そしてこの範囲より下の値は、非常に低い抵抗率の粒子はそれらの負電荷を非常に容易に放つ（loose）ので、排気流（exhaust stream）中へのフライアッシュの再同伴戻り（re-entrainment back）をもたらす。フライアッシュ中の炭素はＥＳＰ中の効率的な捕集を妨害する程大きく抵抗率を低下させる。粒子が高度に伝導性である（即ち、過度に低い抵抗率を有する）ならば、粒子はそこで電荷を非常に容易に棄てそしてコレクタープレート上に保持するのが相対的に困難である。この例はフライアッシュ中の高い炭素含有率であり、これは電気集塵装置非効率性に寄与することが知られている。他方、非常に高い抵抗率の粒子は、コレクタープレート上に捕集された後ですらそれらの電荷を保持するであろう。これらの高い抵抗率の粒子は、最初は捕集するのが容易であるが、システムのコレクタープレート上に絶縁層を形成することがある。相対的に短い期間の時間の後、これらの粒子の蓄積はシステムの効率的な操作に必要な電気的流れ（electric flow）を妨害するであろう。
【０００５】
コレクタープレートにおける高い抵抗率の粒子のこの蓄積は他の性能問題も提起する。これらの問題の１つは「バックコロナ」放電として言及され、これはコレクタープレート上における捕集された粒子層を横切る電圧勾配蓄積（voltage gradient build-up）の結果としての電界を横切るスパーク又はアークである。電気集塵装置の電圧が過度に高いフライアッシュの抵抗率（約１０９Ｏｈｍ  ｃｍ）の故にあまりにも大きくなるならば、この粒子層中にトラップされたガスはイオン化しそしてブレークダウンする（break down）ことがあり、それにより電気集塵装置の効率を実質的に減少させるスパーク又はフレアーを引き起こす。これが起こる度毎に、煙道ガス不透明性（opacity）の一時的増加として記録される排気煙突からの増加した煙りの「吹き出し」（“puff”）がある。この現象を抑制するために、ＥＳＰは電極間の電位に関してコントロールバックオフし（controls back off）（電極に対する電圧を減少させる）、それにより性能の非効率性及び定常状態排気不透明性（steady state exhaust opacity）の増加をもたらす。
【０００６】
粒子抵抗率は、燃焼させられるべき燃料を変性すること又は燃焼ガスが電気集塵装置を通って流れる前に燃焼ガスを変性することにより操作しそして改良することができる。高い抵抗率の粒子及び低い抵抗率の粒子を放つ燃料をブレンドすることは、燃焼ガスにおいて所望の抵抗率を得るための１つの方法である。別法として、燃焼ガスに所望の抵抗率を持たせるように燃焼ガスを変性又は調節することができる。燃焼排ガスを変性又は調節する最も良く知られた方法の１つは燃焼排ガス流に三酸化硫黄（ＳＯ３）蒸気を加えることである。ＳＯ３の添加は抵抗率を低下させる。ＳＯ３の量は特定の燃料燃焼排ガス及び他の操作パラメーターに依存して変わることができる。硫黄型放出（sulfur-type emissions）の欠点もまた認識されており、それ故他の型の処理が所望される。
【発明の開示】
【発明が解決しようとする課題】
【０００７】
従って、本発明の目的は、生じるフライアッシュを捕集する際に電気集塵装置の効率を改良するために燃焼燃料又は燃焼空気又は得られる燃焼排ガスにマンガンのソースを加えることである。更に、本発明の目的は、電気集塵装置において起こりうるバックコロナ放電を減少させるために、燃料又は燃焼空気又は燃焼排ガス流にマンガンのソース又は他のフレーム抑制剤を加えることである。
【課題を解決するための手段】
【０００８】
１つの態様では、本発明は燃焼ユニットにおいて燃料の燃焼から生じる燃焼排ガスからフライアッシュを捕集するのに使用される電気集塵装置の効率を改良する方法を包含する。この方法は、燃料に有効量のマンガンのソースを加えることを含んでなる。別法として、この方法は、有効量のマンガンのソースを燃焼排ガスに加えることを含んでなる。
【０００９】
更なる別法においては、本発明は、燃焼ユニットにおいて燃料の燃焼から生じる燃焼排ガスからフライアッシュを捕集するのに使用される電気集塵装置におけるバックコロナ放電を減少させる方法を包含する。この方法は、有効量のマンガンのソースを燃料に加えることを含んでなる。別法として、この方法は、有効量のマンガンのソースを燃焼排ガスに加えることを含んでなる。なお更に別法として、この方法は、遷移金属、アクチニド、ランタニド、アルカリ金属及びアルカリ土類金属、メタロイド、ハロゲン、リン及び硫黄の無機化合物及び有機化合物よりなる群から選ばれる有効量の添加剤を燃焼排ガスに加えることを含んでなる。また別法として、この方法は有効量の酸素化物（oxygenate）を燃焼排ガスに加えることを含むことができる。
【００１０】
前記方法のいずれにも関連して、燃焼ユニットは、いずれかの及びすべてのバーナー、定置バーナー（stationary burners）、廃棄物焼却炉、ディーゼル燃料バーナー、ガソリン燃料バーナー、パワープラント発生装置（power plant generators）、パワープラント炉（power plant furnaces）、いずれかの及びすべての内燃及び外燃装置、ボイラー、炉、蒸発バーナー、プラズマバーナーシステム、プラズマアーク及び炭化水素質燃料を燃焼させることができる装置よりなる群から選ぶことができる。
【００１１】
前記の方法のいずれに関しても、燃料は、ディーゼル燃料、バイオディーゼル、バイオディーゼル誘導燃料、合成ディーゼル、ジェット燃料、アルコール、エーテル、ケロセン、低硫黄燃料、合成燃料、フィッシャー−トロプシュ燃料、液化石油ガス、石炭から誘導された燃料、石炭、遺伝子工学的に作り出されたバイオ燃料及び作物及びそれらからの抽出物、天然ガス、プロパン、ブタン、無鉛モーター及び航空ガソリン、ガソリン沸点範囲の炭化水素と燃料に可溶性の酸素化ブレンド剤（oxygenated blending agents）の両方を含有する再配合ガソリン（reformulated gasolines）、ガソリン、バンカー重油（bunker feuel）、石炭（ダスト又はスラリー）、原油、製油所残油（refinery “bottoms”）及び副生物、原油抽出物、有害廃棄物、ヤードトリミング（yard trimmings）及廃棄物、木材チップ及びおが屑、農業廃棄物、飼料、サイレージ、プラスチック、有機廃棄物及びそれらの混合物、並びに水、アルコール及び他の担体流体中のそれらの乳液、懸濁液及び分散液よりなる群から選ぶことができる。
【００１２】
また別法として、マンガンのソースは、メチルシクロペンタジエニルマンガントリカルボニル、シクロペンタジエニルマンガントリカルボニル、ビス−シクロペンタジエニルマンガン（マンガノセン）、ビス−アルキルシクロペンタジエニルマンガン、スルホン酸マンガン、マンガンフェネート（manganese phenate）、サリチル酸マンガン、アルキルシクロペンタジエニルマンガントリカルボニル、有機マンガントリカルボニル誘導体、アルキルシクロペンタジエニルマンガン誘導体、中性及びオーバーベースド（neutral and over-based）サリチル酸マンガン、中性及びオーバーベースドマンガンフェネート、中性及びオーバーベースドスルホン酸マンガン、カルボン酸マンガン及びそれらの組み合わせ及び混合物よりなる群から選ぶことができる。
【００１３】
なお更なる態様では、燃料は燃焼ユニットにおいて燃焼させられて燃焼排ガスを生じるように適合しており、該燃料は燃焼ガスからフライアッシュを捕集するのに使用される電気集塵装置の効率を改良する。この燃料は、有効量のマンガンのソースを含んでなる。別法として、本発明は、有効量のマンガンのソースを含んでなる燃料のための添加剤である。別法として、添加剤は、燃焼排ガスに注入するように適合することができ、該添加剤は有効量のマンガンのソースを含んでなる。
【００１４】
なお更なる態様では、燃焼ユニットにおいて燃焼させて燃焼排ガスを生じるように適合している燃料は、燃焼排ガスからフライアッシュを捕集するのに使用される電気集塵装置においてバックコロナ放電を減少させる。この燃料は有効量のマンガンのソースを含んでなる。別法として、燃料のための添加剤がマンガンのソースを含んでなることができる。なお更に、有効量のマンガンのソース；あるいは、遷移金属、アクチニド、ランタニド、アルカリ金属もしくはアルカリ土類金属、メタロイド、ハロゲン、リン又は硫黄の無機化合物及び有機化合物；あるいは酸素化物を含んでなる添加剤を、燃焼ユニットにおいて燃料の燃焼から生じる燃焼排ガスに注入することができる。
【００１５】
他の替わりの態様では、本発明は燃焼ユニットにおいて燃料と燃焼空気の燃焼から生じる燃焼排ガスからフライアッシュを捕集するのに使用される電気集塵装置の効率を改良する方法を包含する。この方法は、有効量のマンガンのソースを燃焼空気に加えることを含んでなる。
【００１６】
他の更なる態様では、本発明は、燃焼ユニットにおいて燃料と燃焼空気の燃焼から生じる燃焼排ガスからフライアッシュを捕集するのに使用される電気集塵装置におけるバックコロナ放電を減少させる方法を包含する。この方法は、有効量のマンガンのソース又は有効量の遷移金属、アクチニド、ランタニド、アルカリ金属及びアルカリ土類金属、メタロイド、ハロゲン、リン又は硫黄の無機化合物又は有機化合物を燃焼空気に加えることを含んでなる。
【００１７】
本発明の焦点及び本発明に記載の改良は、燃焼ユニットにおいて炭化水素質燃料と燃焼空気との燃焼から生じる燃焼排ガスからフライアッシュを捕集する際に電気集塵装置（ＥＳＰ’ｓ）の操作を高めることである。かくして本発明の一つの態様に従えば、有効量のマンガンのソースを燃料、燃焼空気又は燃焼排ガスに加えてフライアッシュの抵抗率を改良し、それによりＥＳＰによるフライアッシュの捕集をより効率良くする。燃焼の前又は後のいずれで加えられても、マンガンはフライアッシュと反応し、フライアッシュをコーティングし又はさもなければフライアッシュと入り交じって（intermingle）それに対する改良された抵抗率特質を付与し、それによりＥＳＰ操作の効率を改良する。
【００１８】
燃料又は燃焼空気に加えられるマンガンのソースの有効量は、例えば燃料中のマンガン約２〜２００ｐｐｍ重量／重量％であるがこれに限定はされない。更に好ましくは、添加される有効量のマンガンのソースは燃料中約５〜５０ｐｐｍ重量／重量％のマンガンである。それは、工業用炉及び用役パワー発生炉（utility power generation furnaces）において見いだされるバーナーの如きバーナーにおいて使用することができる。このマンガンは、燃焼排ガスがＥＳＰシステムに到達する前のいかなる時点でも、示されたとおり燃料に加えることができ又は燃焼空気又は燃焼排ガス流に直接加えることもできる。燃焼排ガス中の添加剤の処理率（treat rate）はフライアッシュの重量に対して約０．５〜３重量％のマンガンの範囲にあるべきである。
【００１９】
フライアッシュの抵抗率を改良することによりＥＳＰの操作を改良することに加えて、本発明はバックコロナ放電というＥＳＰにおける問題にも対処する。この態様では、本発明の改良は、ＥＳＰにおけるバックコロナ放電を減少させるために燃料、燃焼空気及び／又は燃焼排ガス流におけるマンガンの使用を包含する。別法として、燃料、燃焼空気又は燃焼排ガス中の添加剤は、遷移金属、アクチニド、ランタニド、アルカリ金属もしくはアルカリ土類金属の無機又は有機化合物、無機及び有機ハロゲン化合物、無機及び有機リン化合物、及び無機及び有機硫黄化合物の如き他のフレーム抑制剤であることができ、その各々はある形態のフリーラジカル又はイオンクエンチング機構にによるフレーム抑制能力を有する。なお更なる別法として、燃焼排ガス流への酸素化物の添加は同様にバックコロナ放電を減少させることができる。
【００２０】
バックコロナ放電の減少又は抑制の基礎は、添加剤によるフレーム速度調節の現象において見いだされる。一般に、Linteris, G., Rumminger, M., Babushok, V., Chelliah, H., Lazzarini, T., and Wanigarathne, P. Final Report: Non-Toxic Metallic Fire Suppressants. National Institute of Standards and Technology(NIST), Technology Administration, U.S. Department of Commerce, May 2002. http://fire.nist.gov/bfrlpubs/fire02/PDF/f02011.pdf.参照。燃料中のいくらかの金属は燃焼を支持する燃焼ラジカル及びイオンをクエンチすることによりフレーム速度を減少させる。マンガンの如き金属は、正しい燃焼条件下に、ラジカルシンク（radical sinks）として働きそしてフレームの燃焼速度を有意に減少させるフレーム中の燃焼生成物を生成する。従って、マンガン含有添加剤は、同じ機構によって作用するフレーム抑制剤とみなすことができる。即ち、燃料と燃焼すると、それはフレームラジカル及びイオンクエンチャーとして作用するマンガン含有燃焼生成物を生成する。
【００２１】
操作においては、電気集塵装置は非常に強い電界を作り出すために、非常に高い電圧で操作される。この高い電界は、電界がより大きくそしてより強力であればある程、より多くのフライアッシュ粒子がシステムのコレクタープレートに引き付けられそしてコレクタープレート上に捕集されるであろう故に発生させられる。強い電界を発生させるのに使用することができる電圧の上限は、電界がバックコロナ放電効果が認められる程大きい場合のこれらの電圧により規定される。換言すれば、電気集塵装置は、バックコロナ放電の効果を見ることなく可能な最も高い電界（最も高い電圧）で操作されるのが好ましい。従って、バックコロナ放電が本明細書に記載の添加剤の使用により化学的に減少させられるか又はなくされうる程度に、電気集塵装置の効率は改良されうる。バックコロナ放電を減少させることによって、添加剤の使用はＥＳＰの操作者がＥＳＰの操作電圧を増加させることを許容し、それ故より多くのフライアッシュを捕集することによりその効率を増加させる。本明細書に記載された添加剤の使用の結果として利用可能なこの増加した電圧は、添加剤を使用しない場合には、実質的なバックコロナ放電及び電気集塵装置における生じる効率の減少を発生することなしに利用可能ではない。
【００２２】
他の遷移金属、アクチニド、ランタニド、アルカリ金属及びアルカリ土類金属、メタロイド、無機及び有機ハロゲン化合物、無機及び有機リン化合物、及び無機及び有機硫黄化合物の使用は、ＥＳＰコレクタープレートにおけるバックコロナ放電を制限するためにラジカル及びイオンクエンチングの同様な機構により作用を及ぼす。前記の化合物は、燃料又は燃焼空気にマンガンと同じ有効量において加えられる。なお更に、フレーム中にラジカル及びイオンクエンチング種を生成することによりフレームの速度を減少させる酸素化物の如き非金属化合物は、バックコロナ放電を減少又は抑制するのに同様に機能するであろう。これらの酸素化物は燃焼の前に燃料又は燃焼空気中にブレンドされるよりはむしろ燃焼排ガス中に導入されなければならない。
【００２３】
燃焼排ガス中の添加剤の処理率は、フライアッシュの重量に対してそれぞれの金属及び／又はメタロイド元素約０．５〜３重量％の範囲にあるべきである。燃焼排ガス流中に吸引又は注入される酸素化物の場合に、酸素化物はフライアッシュの重量に対して３〜１０重量％の酸素を渡すことができなければならない。ハロゲン、リン及び硫黄含有化合物はフライアッシュの量に対して該元素１〜３重量％で処理されるべきである。
【００２４】
本明細書において「マンガン」とは、マンガン又はマンガン含有物質、化合物又は前駆体、例えば、メチルシクロペンタジエニルマンガントリカルボニル、スルホン酸マンガン、マンガンフェネート、サリチル酸マンガン、シクロペンタジエニルマンガントリカルボニル、アルキルシクロペンタジエニルマンガントリカルボニル、有機マンガントリカルボニル誘導体、アルキルシクロペンタジエニルマンガン誘導体、ビス−シクロペンタジエニルマンガン、ビス−アルキルシクロペンタジエニルマンガン、中性及びオーバーベースドサリチル酸マンガン、中性及びオーバーベースドマンガンフェネート、中性及びオーバーベースドスルホン酸マンガン、カルボン酸マンガン及びそれらの組み合わせ及び混合物を意味するが、それらに限定はされない。
【００２５】
本発明の１つの態様に従えば、好ましいマンガンソースは、ＭＭＴ（Ｒ）  Ｇａｓｏｌｉｎｅ  Ａｄｄｉｔｉｖｅ、又はＨｉＴＥＣ（Ｒ）３０００  Ｐｅｒｆｏｒｍａｎｃｅ  Ａｄｄｉｔｉｖｅ、又はＧＲＥＥＮＢＵＲＮ（Ｒ）  Ｆｕｅｌ  ＡｄｄｉｔｉｖｅとしてＥｔｈｙｌ  Ｃｏｒｐｏｒａｔｉｏｎから入手可能なメチルシクロペンタジエニルマンガントリカルボニルである。
【００２６】
本明細書において「燃焼ユニット」とは、炭化水素質燃料を燃焼させることができる、いずれかの及びすべての内燃及び外燃装置、機械、ボイラー、炉、焼却炉、蒸発バーナー、プラズマバーナーシステム、プラズマアーク、定置バーナー等を意味する。「燃焼ユニット」は固定され及び定置されていることができるか又はそれは可動性であることができる（例えば、軌道機関車、トラック等）。本発明の利用において有効な燃焼ユニットは、例えば、定置バーナー、廃棄物焼却炉、ディーゼル燃料バーナー、ガソリン燃料バーナー、パワープラント発生装置、パワープラント炉等を包含するがそれらに限定されるものではない、いずれかの及びすべてのバーナー又は燃焼装置を包含する。本発明から利益を得ることができる炭化水素質燃料燃焼ユニットは、炭化水素質燃料を燃焼又は酸化的に分解するすべての燃焼ユニット、システム、装置及び／又はエンジンを包含する。
【００２７】
本発明の燃焼ユニットの操作において使用するのに適当な燃料は、炭化水素質燃料、例えば、ディーゼル燃料、ジェット燃料、アルコール、エーテル、ケロセン、低硫黄燃料、合成燃料、例えばフィッシャー−トロプシュ燃料、液化石油ガス、石炭から誘導された燃料、石炭、遺伝子工学的に作り出されたバイオ燃料及び作物及びそれらからの抽出物、天然ガス、プロパン、ブタン、無鉛モーター及び航空ガソリン、及び典型的にはガソリン沸点範囲の炭化水素と燃料に可溶性の酸素化ブレンド剤、例えばアルコール、エーテル及び他の適当な酸素含有有機化合物、の両方を含有するいわゆる再配合ガソリンを包含するが、それらに限定はされない。本発明の方法及び燃焼ユニットにおいて有用な他の燃料は、ガソリン、バンカー重油、石炭（ダスト又はスラリー）、原油、製油所残油及び副生物、原油抽出物、有害廃棄物、ヤードトリミング及廃棄物、木材チップ及びおが屑、農業廃棄物、飼料、サイレージ、プラスチック及び他の有機廃棄物及び／又は副生物、及びそれらの混合物、並びに水、アルコール及び他の担体流体中のそれらの乳液、懸濁液及び分散液である。本明細書において「ディーゼル燃料」とは、ディーゼル燃料、バイオディーゼル、バイオディーゼル誘導燃料（biodiesel-derived fuel）、合成ディーゼル及びそれらの混合物よりなる群から選ばれる１種又はそれより多くの燃料を意味する。
【００２８】
「燃焼空気」という用語は、周囲の空気又は加圧空気、又は燃焼ユニットにおいて燃料と燃焼させる他の酸化剤を包含する。酸化剤は、ガス状であることができ、又はそれは液体もしくは固体又はそれらの混合物もしくは前駆体であることができる。燃焼空気は燃焼の前に添加剤を加えられる（additized）ことができ、又はそうでなければ燃焼ユニットの効率を満足させるか又は最大にするように調節することができる。
【００２９】
本発明において場合により使用するのに適当な酸素化物は、メタノール、エタノール、イソプロパノール、ｔ−ブタノール、混合アルコール、エーテル、例えば、メチル第三級ブチルエーテル、第三級アミルメチルエーテル、エチル第三級ブチルエーテル及び混合エーテル；ポリエーテル、例えば、２−メトキシエチルエーテル（ジグリム）、トリグリム；ポリオール；ポリエーテルアルコール、例えば、ジ（エチレングリコール）モノメチルエーテル及びその混合物を包含する。
【００３０】
ラジカル及びイオンクエンチングの如き機構によりフレームの燃焼速度を減少させることによりフレーム抑制性であることが認められる遷移金属の例は、Ｖ、Ｃｒ、Ｍｎ、Ｆｅ、Ｃｏ、Ｙ、Ｚｒ、Ｍｏ、Ｒｕ、Ｒｈ、Ｐｄ、Ａｇ、Ｃｄ、Ｈｆ、Ｗ、Ｒｅ、Ｏｓ、Ｉｒ及びＰｔの無機及び有機化合物である。同様な能力をもつランタニドは、Ｌａ、Ｃｅ、Ｙｂ及びＬｕの無機及び有機化合物である。本願において使用することができるアクチニドは、Ｔｈ、Ｐａ及びＵの無機及び有機化合物である。同様な機能を示すメタロイドは、Ｂ、Ａｌ、Ｇａ、Ｇｅ、Ｉｎ、Ｓｎ及びＰｂの無機及び有機化合物である。アルカリ金属化合物は、対応する遷移金属濃度よりも高い大きさのオーダーにおけるにもかかわらず、いくらかの難燃性も示す。この特徴を示す金属のいくらかはＬｉ、Ｎａ、Ｋ、Ｒｂ及びＣｓの無機化合物である。アルカリ土類金属の有機及び無機化合物、例えばＭｇ、Ｃａ、Ｓｒ及びＢａのそれらはアルカリ金属と同様に性能する。
【実施例】
【００３１】
試験実験
本発明は、パワープラント発生装置燃焼番号６燃料油における実験において試験した。実験期間中、種々の観察及び測定値は図１〜４に示された如く記録された。実験期間中、測定は、特許請求の範囲に記載の添加剤又は処理なしに燃料が燃焼したときの週間１の期間になされた。次いで、週間２の始めから週間５の終わりまで、マンガンのソースを、燃焼した燃料の重量に対して１５ｐｐｍ重量％のマンガンの処理率で発生装置において燃焼した燃料に加えた。プラントで使用された添加剤を加えられた燃料は試験の期間の大部分の間相対的に一定のままであることが注目される。最後に、４週間の処理の後、最後の２週間６及び７は再びマンガンのソースを加えない燃料で行った。
【００３２】
燃料ソース変動性の故に、フライアッシュ抵抗率が同じバーナーユニットにおいて大きな抵抗率範囲に及ぶことは異常なことではない。この変動性に逆らうようにＥＳＰの効率を制御するために、三酸化硫黄（ＳＯ３）がしばしばＥＳＰの上流で煙道ガス中に加えせられる。ＳＯ３はフライアッシュ抵抗率を許容しうるＥＳＰ性能値に下げるために使用される。これがその場合であるが、ＥＳＰ効率に対する添加剤の影響を確かめることができる前に、すべての抵抗率の比較がフライアッシュ中の同じＳＯ３濃度で行われることを保証するように注意しなければならない。
【００３３】
図１は、約２０ｐｐｍ重量％マンガンを燃料に送り込む処理率で６番燃料油に加えられたマンガン添加剤の結果としてのフライアッシュ抵抗率の変化を示す。この変化は、週間３と週間５の間で決定された。何故ならば、これらは図２のグラフに示されうるとおり、煙道ガスが相当するレベルのＳＯ３を含有するときの試験期間であるからである。図１に示された２．８４×１０７という高い値から２．１６×１０６という低い値までの抵抗率値の変化は、燃料に加えられたマンガンの効果に帰される。マンガン使用の期間と共にフライアッシュ抵抗率のこの低下は有意なＥＳＰ効率をもたらす。
【００３４】
いくらかの燃料は燃焼ユニット中で燃焼して高い抵抗率を有するフライアッシュを生成する。他の燃料は高い炭素含有率の故に最初に低い抵抗率のフライアッシュを生成するが、その後の炭素バーンアウト時には抵抗率は有意に増加する。上記の両方の場合に、得られるバック抵抗率フライアッシュ（back resistivity fly ash）がＥＳＰに入る場合には、その抵抗率が１．０×１０９より高いならば、「高いコロナ放電」という現象が起こり得る。図３は、試験週間３と４の間で、フライアッシュ抵抗率が２．８４×１０７Ｏｈｍ−ｃｍから２．１４×１０９Ｏｈｍ−ｃｍのバックコロナ誘発レベルまで増加したことを示す。ＥＳＰがこのようなバック抵抗率のフライアッシュを捕捉するために、負電荷をフライアッシュ粒状物上へと強制するために電極間の電位を増加させなければならない。この高い電位は、コレクターアノード上のフライアッシュ層中にトラップされたガスをイオン化させることがある。生じるイオン及びラジカルはアノードにおいて「ブルーグロー」を与え、そしてイオン化が十分に高ければ、このバックコロナ放電を制御するために、ＥＳＰ制御を、電圧を降下させるように強制する電極間のアーク放電がある。電極間の電位の低下はＥＳＰ効率を直接低下させる。これは煙道ガス不透明性(flue gas opacity)の増加として見られるであろう。更に、バックコロナ放電現象が起こる度毎に、アノードコレクタープレートから煙道ガス流へのフライアッシュの再同伴戻りがあり、そして煙道ガス不透明性読みにおける一時的「パフ」スパイク（transient “puff” spikes）として見ることができる。このバックコロナ放電現象のどれも、マンガン含有添加剤の試験期間中になされた視覚による不透明性観察において見られなかった。図４は図３における抵抗率変化に対応する２つの試験週間の間の不透明性変化を示す。図４におけるより低い２つのデータ点は週間３から週間４までの不透明性の増加を示す。しかしながら、この増加は図４における上部の２つのデータ点により表される対応する負荷増加があることに帰され、そしてこの燃料スループットの増加は示された非線形不透明性増加をもたらす。いかなるバックコロナ放電現象もないことは燃料中のマンガンの使用の直接の結果である。
【００３５】
燃焼ユニットを組み込まれているパワープラント発生装置は燃焼ユニットで燃焼した燃料の量に直接関係する量のパワーを出力することができる。燃焼ユニットからの燃焼排ガスの不透明性レベルの規制(regulation)は、パワープラント発生装置が出力することを許容されるパワーの量に関する有効なキャップ（effective cap）である。この試験実験において、パワー発生プラントからのパワー出力は、特許請求された添加剤の使用により規制された最大不透明性レベルを越えることなく有意に増加させることができる。特に、試験実験がなされるパワープラントでは、パワー出力は規制された不透明性レベルを越えることなくベースライン３４０メガワットレベルから３６０メガワットに増加された。マンガン添加剤がないと、３４０メガワット以上に負荷を増加させることは規制された不透明性レベルを越える。それ故、示されたとおり、パワープラントのパワー発生効率は燃焼ユニットにおいてマンガン添加剤を使用する結果として５％以上増加した。
【００３６】
２００２年１２月１８日に出願された同時係属出願Ｎｏ．１０／３２２１５８は、同じパワープラント炉試験において鑑定された他の利点を検討している。その出願は参照により本明細書に組み込まれる。
【００３７】
本明細書または本明細書の請求の範囲のどこででも単数で言及されるか複数で言及されるかに拘わらず、化学名を用いて言及される反応体及び成分は、化学名または化学的タイプにより言及された他の物質（例えば基礎燃料、溶媒など）に接触する前にそれらが存在しているままで同定されるものと理解されるべきである。生じる混合物または溶液または反応媒体中でどんな化学変化、変換および／または反応（もしあれば）が起ころうとも問題でない、と言うのは、そのような変化、変換および／または反応は特定された反応体および／または成分を本開示に従って要求する条件下で一緒にする結果として自然に起こる事であるからである。従って、反応体および成分は、所望の化学反応（例えば有機金属化合物の生成）を実施する時に或は所望の組成物（例えば添加剤濃厚物または添加剤が添加されている燃料ブレンド物）を生じさせる時に一緒にすべき材料（ingredients）として同定される。また、添加剤成分がそれ自体個別におよび／または前以て形成された添加剤組み合わせおよび／または副次的組み合わせを生じさせる時に用いる成分として基礎燃料に添加またはブレンドされうることも理解されるであろう。従って、本明細書に示す請求の範囲で物質、成分および／または材料を現在時制（「含んで成る」、「である」など）で言及することがあり得るかもしれないが、そのような言及は、物質、成分又は材料が本開示に従う他の１種以上の物質、成分および／または材料と最初にブレンドまたは混合される直ぐ前の時間に存在していたままの物質、成分または材料を指すものである。該物質、成分または材料はそのようなブレンドもしくは混合操作過程中またはその直後に起こる化学反応または変換を通してそれの元々の同定を失っているかも知れないというこうとは、本開示および本請求の範囲の正確な理解および評価にとって全く重要でない。
【００３８】
本明細書において、多数の米国特許、公開された外国特許出願および公開された技術論文について言及してきた。そのような引用した資料は全部あたかも本明細書に完全に記載されているかのように本開示に完全に組み込まれる。
【００３９】
本発明は本発明の実施においてかなりの変更を受けることができる。従って、前記の説明は上記した特定の例示に限定することを意図するものでなくかつ限定として解釈されるべきでない。むしろ、保護することを意図するものは、特許請求の範囲及び法律上許容されたそれらの均等物に記載されているとおりである。
【００４０】
本特許権保有者は開示した全ての態様を公に捧げることを意図するものでなく、そして開示した何らかの修正または変形が文字通りに本請求の範囲の範囲内に入らない可能性がある度合に、それらは均等物の原則の下で本発明の一部であると見なす。
【図面の簡単な説明】
【００４１】
【図１】試験実験期間中燃焼ガスの比較フライアッシュ抵抗率を示すグラフである。
【図２】試験実験において燃料にマンガンソースを加える結果としてフライアッシュ鉱物組成の変化を示すグラフである。
【図３】試験実験期間中抵抗率の増加がバックコロナ放電を生じさせないことを示す。（図４参照）。
【図４】本発明の試験実験の一部の油使用対煙突不透明性を示すグラフである。
【図１】
2004314040.tif 000002
【図２】
2004314040.tif 000003
【図３】
2004314040.tif 000004
【図４】
2004314040.tif 000005